(57)【要約】      （修正有）【課題】輸送時における果物の損傷を防止する果物用包装装置を提供する。【解決手段】果物を載置収納するトレーと、該トレーを収納して施蓋する透明パック１１とを備えるとともに、透明パックが、容器本体部１３と、カバー部１５と、容器本体部１３とカバー部１５を折り曲げ可能に連結しているヒンジ部１６とを一体に有し、かつ、容器側開口部とカバー部側開口部の全体が容器本体部１３及びカバー部１５に張設された伸縮性フィルムシート１７で覆われて成る果物用包装装置であって、果物を載置収納したトレーが伸縮性フィルムシート１７上から容器本体部１３内に装填されるとともに、カバー部１５側に張設された伸縮フィルムシート１７をトレーと共に装填された果物上に圧接してカバー部１５を容器本体部１３に施蓋し、容器本体部側の伸縮性フィルム１７と前記カバー部側の伸縮性フィルム１７とにより果物とトレーの動きを抑止する果物用包装装置。【選択図】図４
2011143929.tif 000002
【特許請求の範囲】
【請求項１】
果物を載置収納する収納凹部が複数形成されたトレーと、該トレーを収納して施蓋する包装容器とを備えるとともに、前記包装容器が、容器側開口部を有して箱状に形成された容器本体部と、カバー部側開口部を有して箱状に形成されたカバー部と、前記容器本体部と前記カバー部を折り曲げ可能に連結しているヒンジ部とを一体に有し、かつ、前記容器側開口部と前記カバー部側開口部の全体が前記容器本体部及び前記カバー部に張設された伸縮性フィルムシートで覆われて成る果物用包装装置であって、
前記果物を載置収納した前記トレーが前記伸縮性フィルムシート上から前記容器本体部内に装填されるとともに、前記カバー部側に張設された伸縮フィルムシートを該トレーと共に装填された果物上に圧接して前記カバー部を前記容器本体部に施蓋し、前記容器本体部側の伸縮性フィルムと前記カバー部側の伸縮性フィルムとにより前記果物と前記トレーの動きを抑止することを特徴とする果物用包装装置。
【請求項２】
上記容器本体部及び上記カバー部は、上記容器側開口部及び上記カバー部側開口部から外方に延びるフランジ片をそれぞれ一体に有し、かつ、該上記容器本体部と上記カバー部の少なくとも一方の該フランジ片に、該フランジ片の外周端から前記容器本体部または前記カバー部内まで延びる通気用凹溝を設けていることを特徴とする請求項１記載の果物用包装装置。
【発明の詳細な説明】
【技術分野】
【０００１】
本発明は果物用包装装置に関するものであり、特に、損傷を受け易いイチゴ等の果物を収納して搬送するのに好適な果物用包装装置に関するものである。
【背景技術】
【０００２】
従来、損傷を受け易い果物、例えば、イチゴを産地から市場等に輸送する場合には、縦振動によるイチゴへの衝撃を緩和するために、例えば図９に示すように、合成樹脂製のトレー３１にウレタンシート３２を敷き、該ウレタンシート３２上に複数のイチゴ３３，３３…を相互に支え合うように詰め合わせて収納している。そして、塵埃の混入を防止する目的、並びに、イチゴ３３，３３…の産地を表示する目的で、収納したイチゴ３３,３３
の上を薄いセロハンフィルム（図示せず）で覆っている（例えば、特許文献１,２参照）
。
【先行技術文献】
【特許文献】
【０００３】
【特許文献１】特開２００６−８９０６２号公報
【特許文献２】特開２００５−０１５０４６号公報
【発明の開示】
【発明が解決しようとする課題】
【０００４】
上記従来技術は、輸送時の縦振動や衝撃によりイチゴの動きを十分に拘束することができなかった。このため、隣接するイチゴ同士が接触してイチゴの表面に擦り傷が発生し易い。また、トレーにウレタンシートを敷いているものの、効果的な衝撃緩衝作用が得難く、振動や衝撃を受けるとトレー自体の強度によりイチゴに傷が生じ易い。
【０００５】
さらに、外装ケース内にトレーをセットして車両等で輸送しているとき、外装ケースに対してトレー自体が動き易い。この場合、外装ケースの蓋部天面にイチゴが当たって該イチゴに損傷を与える。
【０００６】
また、トレーを外装ケースに対して宙に浮かすような包装方法もあるが、トラック等による輸送においては、縦振動の外に、トラック等の車両の停止、発進または急ブレーキの繰り返しにより大きな横振動が作用する。このため、前記包装方法は、イチゴの損傷を有効に防止する対策とはなっていない。さらに、前記包装方法は、輸送中にトランポリン現象を招いて、縦振動及び横振動共に振動の幅が増加する傾向にあり、イチゴ等の果物が傷付きやすい状態にある。
【０００７】
以上の如く、従来の包装容器においては、輸送時に包装容器に振動や衝撃が作用してイチゴ等の果物が損傷し、これに起因して果物の鮮度劣化が早期に進行し、果物の商品価値を低下させるという問題点があった。
【０００８】
そこで、輸送時におけるイチゴ等の果物の損傷を防止するために解決すべき技術的課題が生じてくるのであり、本発明はこの課題を解決することを目的とする。
【課題を解決するための手段】
【０００９】
本発明は上記目的を達成するために提案されたものであり、請求項１記載の発明は、果物を載置収納する収納凹部が複数形成されたトレーと、該トレーを収納して施蓋する包装容器とを備えるとともに、前記包装容器が、容器側開口部を有して箱状に形成された容器
本体部と、カバー部側開口部を有して箱状に形成されたカバー部と、前記容器本体部と前記カバー部を折り曲げ可能に連結しているヒンジ部とを一体に有し、かつ、前記容器側開口部と前記カバー部側開口部の全体が前記容器本体部及び前記カバー部に張設された伸縮性フィルムシートで覆われて成る果物用包装装置であって、前記果物を載置収納した前記トレーが前記伸縮性フィルムシート上から前記容器本体部内に装填されるとともに、前記カバー部側に張設された伸縮フィルムシートを該トレーと共に装填された果物上に圧接して前記カバー部を前記容器本体部に施蓋し、前記容器本体部側の伸縮性フィルムと前記カバー部側の伸縮性フィルムとにより前記果物と前記トレーの動きを抑止する果物用包装装置を提供する。
【００１０】
この構成によれば、先ず、容器本体部の容器側開口部を覆っている伸縮性フィルムシート上にイチゴ等の果物をトレー等に載せて載置し、かつ、該伸縮性フィルムを引き延ばしながら容器本体部内に沈めて収納した後、前記容器本体部をカバー部で施蓋すると、該カバー部のカバー部側開口部に張設した伸縮性フィルムシートがトレー上のイチゴ等の果物に弾性的に接触する。そのため、容器本体部側の伸縮性フィルムシートとカバー部側の伸縮性フィルムシートにより、イチゴ等の果物が上下両方向から弾性的な接触圧（弾接力）を受けて拘束される。よって、輸送時に包装容器に振動（縦振動及び横振動を含む）や衝撃が生じても、緩衝作用を発揮しつつ果物の動きがトレーと共に抑止されるので、果物同士が接触する恐れがない。
【００１１】
請求項２記載の発明は、請求項１記載の構成において、上記容器本体部及び上記カバー部は、上記容器側開口部及び上記カバー部側開口部から外方に延びるフランジ片をそれぞれ一体に有し、かつ、該上記容器本体部と上記カバー部の少なくとも一方の該フランジ片に、該フランジ片の外周端から前記容器本体部または前記カバー部内まで延びる通気用凹溝を設けている包装容器を提供する。
【００１２】
この構成によれば、通気用凹溝の部分において、容器本体部側の伸縮性フィルムシートとカバー部側の伸縮性フィルムシートとの間に外気が侵入する。
【発明の効果】
【００１３】
請求項１記載の発明は、イチゴ等の果物の輸送時、包装装置に振動や衝撃が作用しても、トレーに載せたイチゴ等の果物を上下両側から覆って拘束している伸縮性フィルムシートが緩衝材になり、イチゴ等の果物の動きを抑止するので、果物同士の接触による擦り傷を防止することができる。斯くして、擦り傷による果物の鮮度劣化の進行が遅くなるので、果物の新鮮な商品価値を長く保持することができる。
【００１４】
請求項２記載の発明は、通気用凹溝の部分において、容器本体部側の伸縮性フィルムシートとカバー部側の伸縮性フィルムシートとの間に外気が侵入するので、イチゴ等の果物の新鮮度を確保することができる。
【図面の簡単な説明】
【００１５】
【図１】本発明の一実施例であり、使用状態で示す果物用包装装置の断面図。
【図２】同上果物用包装装置におけるトレーの平面図。
【図３】同上果物用包装装置における包装容器を開いて上方から見た平面図。
【図４】図３のＡ−Ａ線断面図。
【図５】図３のＡ−Ａ線に相当する部分であり、同上包装容器を閉じた状態で示す断面図。
【図６】図３のＢ−Ｂ線拡大断面図。
【図７】包装容器を閉じてロックした状態を説明する平面図。
【図８】図７のＣ−Ｃ線断面図。
【図９】従来例に係る果物用包装装置を示す斜視図。
【発明を実施するための最良の形態】
【００１６】
本発明は、輸送時におけるイチゴ等の果物の損傷を防止するという目的を達成するために、果物を載置収納する収納凹部が複数形成されたトレーと、該トレーを収納して施蓋する包装容器とを備えるとともに、前記包装容器が、容器側開口部を有して箱状に形成された容器本体部と、カバー部側開口部を有して箱状に形成されたカバー部と、前記容器本体部と前記カバー部を折り曲げ可能に連結しているヒンジ部とを一体に有し、かつ、前記容器側開口部と前記カバー部側開口部の全体が前記容器本体部及び前記カバー部に張設された伸縮性フィルムシートで覆われて成る果物用包装装置であって、前記果物を載置収納した前記トレーが前記伸縮性フィルムシート上から前記容器本体部内に装填されるとともに、前記カバー部側に張設された伸縮フィルムシートを該トレーと共に装填された果物上に圧接して前記カバー部を前記容器本体部に施蓋し、前記容器本体部側の伸縮性フィルムと前記カバー部側の伸縮性フィルムとにより前記果物を前記トレーと共に拘束するように構成して実現した。
【実施例】
【００１７】
以下、本発明の果物用包装装置の一実施例を図１乃至図８に従って説明する。なお、本実施例は、果物用包装装置に収納される果物としてイチゴを例に挙げて説明する。
【００１８】
図１はイチゴを装填した使用状態で示す果物用包装装置の断面図である。同図において、果物用包装装置１は、複数個のイチゴ３,３…を載置収納するトレー５と、該イチゴ３,３…を載置収納したトレー５を装填した包装容器１１（以下、「透明パック１１」という。）とにより構成されている。そして、該果物用包装装置１は、該透明パック１１の容器本体部１３側に張設された伸縮性フィルムシート１７とカバー部１５側に張設された伸縮フィルムシート１７との間に、イチゴを載置収納したトレー５を圧接保持して該イチゴ３,３…とトレー５…が動かないように拘束して使用するものであり、この果物用包装装置
１の使用により該イチゴとトレー５の動き抑止すると同時に外部からの振動も吸収できるようにしたものである。その具体的な構造を、以下、順に説明する。
【００１９】
前記トレー５は、発泡材等の合成樹脂または紙素材によりモールド成形されており、透明パック１１内に収納可能な大きさで形成されている。また、図１及び図２に示すように、トレー５の上面側には複数の収納凹部７,７…が設けられ、該収納凹部７，７…の内面
はイチゴ３，３…の外面形状に倣う略カップ状に湾曲形成されている。なお、本実施例では、収納凹部７，７…は３行４列とする合計１２個配設されている。また、トレー５は、イチゴ３，３…の種類若しくはサイズに応じて、最適なものに容易に取り替えることができる。
【００２０】
前記透明パック１１は、図１,図３〜図５に示すように、透明な硬質の合成樹脂から成
る。該透明パック１１は、容器側開口部１２を有して方形の箱状に形成された容器本体部１３と、カバー部側開口部１４を有して方形の箱状に形成された容器本体部施蓋用のカバー部１５と、該カバー部１５の解放時、該容器側開口部１２とカバー部側開口部１４がそれぞれ同じ方向を向くようにして該容器本体部１３と該カバー部１５の間を開閉可能に連結している折り曲げ可能なヒンジ部１６とを一体に成形してなる。
【００２１】
また、前記容器本体部１３及び前記カバー部１５には、前記容器側開口部１２の周縁及び前記カバー部側開口部１４の周縁からそれぞれ外方へほぼ直角に折り曲げられて一体に延びるフランジ片１３ａ及びフランジ片１５ａが周設されている。
【００２２】
さらに、前記透明パック１１の開放側の面には、開放側の面全体、すなわち、前記容器
側開口部１２及び前記フランジ片１３ａと前記カバー部側開口部１４及び前記フランジ片１５ａの全体を覆うようにして、１枚の伸縮性フィルムシート１７が張設されている。
【００２３】
さらに詳述すると、容器本体部１３の底面には、図１,図３〜図５に示すように、レー
ル状若しくはリブ状に形成された単数または複数本の補強用の突起部（突条部）１８が適宜の間隔を有して設けられている。図示の実施例で突起部１８の個数は２本とされ、該突起部１８，１８は容器本体部１３の縦方向（長手方向）と平行に延伸している。
【００２４】
また、容器本体部１３のフランジ片１３ａには、図３に示すように、該フランジ片１３ａの外周端から該容器本体部１３の容器側開口部１２内まで延びるようにして単数または複数個の通気用凹溝１９が適宜の間隔を有して設けられている。図示の実施例で通気用凹溝１９は２本とされ、該通気用凹溝１９,１９は縦方向において、容器側開口部１２を挟
んで対抗する位置にそれぞれ設けられている。なお、該通気用凹溝１９は、図６に示すように、断面凹曲面状に形成されている。そして、該通気用凹溝１９,１９の部分では、前
記伸縮性フィルムシート１７はフランジ片１３ａから離れ、該伸縮性フィルムシート１７とフランジ片１３ａとの間に隙間２６を画成した状態になっており、この隙間２６と対応する伸縮性フィルムシート１７の部分が、該隙間２６内へ逃げて揺動できるようになっている。
【００２５】
さらに、容器本体部１３のフランジ片１３ａには、図３に示すように、単数または複数個の係合スリット２０が全周方向に適宜の間隔を有して設けられている。なお、該係合スリット２０,２０…は、伸縮性フィルムシート１７と共に半抜き加工で形成される。また
、図示の実施例では、係合スリット２０は４個とされ、横方向のフランジ片１３ａにそれぞれ１個ずつ、ヒンジ部１６で連結されていない縦方向のフランジ片１３ａに２個設けている。
【００２６】
前記カバー部１５は、図１,図３〜図５に示すように、前記容器本体部１３の上面を施
蓋できるように平面視が該容器本体部１３とほぼ同じ大きさで形成され、また、深さもほぼ同じ大きさで形成されている。さらに、カバー部１５のフランジ片１５ａには、図３に示すように、単数または複数個の舌状をした被ロック片２１が設けられている。該被ロック片２１は、伸縮性フィルムシート１７と共に半抜き加工して形成され、また、該カバー部１５を前記容器本体部１３に施蓋したとき、該容器本体部１３の係合スリット２０とそれぞれ対応する位置に設けられている。すなわち、図示の実施例で係被ロック片２１,２
１…は、該容器本体部１３の係合スリット２０に対応して４個とされ、横方向のフランジ片１５ａにそれぞれ１個ずつ、ヒンジ部１６で連結されていない縦方向のフランジ片１５ａに２個設けられている。
【００２７】
前記伸縮性フィルムシート１７は、所要の適度な弾性及び引っ張り強度を有する薄膜シートであり、例えばポリ塩化ビニル、ポリ塩化ビニリデン、ポリエチレン、ポリプロピレン等の材料を採択できる。
【００２８】
そして、前記透明パック１１における容器本体部１３の容器側開口部１２及びカバー部１５のカバー部側開口部１４の全体を覆うようにして張設された１枚の伸縮性フィルムシート１７は、箱形の容器本体部１３と縮性フィルムシート１７との間に閉塞空間部Ｓ１を形成するとともに、箱形のカバー部１５と縮性フィルムシート１７との間に閉塞空間部Ｓ２を形成する。該閉塞空間部Ｓ１,Ｓ２は、伸縮フィルムシート１７に対してクッシヨン
作用を発生させる。なお、図１,図３〜図５では、説明の都合上、該伸縮フィルムシート
１７の厚みを拡大して図示している。
【００２９】
次に、上記果物用包装装置１を使用してイチゴ３,３…を包装する手順を説明する。
【００３０】
まず、イチゴ３,３…は、トレー５に装填して用意される。そして、イチゴ３,３…を装填したトレー５は、透明パック１１における容器本体部１３の容器側開口部１２を閉塞している伸縮フィルムシート１７上に載せられ、かつ、該フィルムシート１７を容器本体部１３側に押し付けて該伸縮フィルムシート１７を伸長させながら容器本体部１３内に沈め、該伸縮フィルムシート１７を介して容器本体部１３内に浮かせた状態でセットする。
【００３１】
次いで、カバー部１５をヒンジ部１６に沿って容器本体部１３側に折り曲げて施蓋し、図６及び図７に示すように、該カバー部１５側の各被ロック片２１,２１…を容器本体部
１３側の係合スリット２０にそれぞれ挿入係合して、解除可能にロックする。これにより、図１に示すように、イチゴ３，３…の上側がカバー部１５で施蓋され、イチゴ３，３…の上側表面に伸縮性フィルムシート１７が弾性的に接触する。これにより、トレー５にセットされたイチゴ３,３…は、トレー５と共に上下方向から伸縮フィルムシート１７,１７により押さえられ、透明パック１１内に浮いた状態で拘束されて動きが抑止される。
【００３２】
したがって、上述の如く本実施例による果物用包装装置１によれば、トレー５に装填されて容器本体部１３内にセットされたイチゴ３,３…は、カバー部１５で施蓋されると、
イチゴ３,３…がトレー５と共に上下方向から伸縮フィルムシート１７,１７で拘束されて動きが抑止され、安定した状態で保持される。よって、輸送時に透明パック１１８に振動や衝撃が生じても、伸縮フィルムシート１７,１７がクッションとなり、イチゴ３，３…
の動きを抑止するので、イチゴ３，３…同士が接触する恐れがなくなる。
【００３３】
斯くして、イチゴ３，３…同士の接触による該イチゴ３，３…の擦り傷を防止できるので、擦り傷によるイチゴ３，３…の鮮度劣化が効率良く阻止され、該イチゴ３，３…の商品価値を長く保持することができる。
【００３４】
さらに、本発明の果物用包装装置１を使用して包装ケースに収容する時ときには、果物用包装装置１の積み重ねが可能になるので、包装ケースとしては一般的な段ボール等を使用することが可能になり汎用性が向上する。
【００３５】
また、前記容器本体部１３には、フランジ片１３ａの外周端から容器側開口部１２内まで延びる通気用凹溝１９を設け、この通気用凹溝１９と伸縮性フィルムシート１７との間に隙間２６を設けているので、容器本体部１３側の伸縮性フィルムシート１７とカバー部１５側の伸縮性フィルムシート１７との間に外気が侵入するので、イチゴ３,３…の新鮮
度を確保することができる。
【００３６】
なお、上記実施例では、通気用凹溝１９を容器本体部１３のフランジ片１３ａ側に設けた構造を開示したが、カバー部１５のフランジ片１５ａ側に設けても、あるいは両フランジ片１３ａ,１５ａに設けてもよい。
【００３７】
また、本発明は、本発明の精神を逸脱しない限り種々の改変を為すことができ、そして、本発明が該改変されたものに及ぶことは当然である。
【産業上の利用可能性】
【００３８】
上述したように、本発明は包装容器に収納される果物物としてイチゴを例に挙げて説明したが、振動や衝撃等により損傷を受け易い内容物であれば、イチゴ以外の果物、野菜または生鮮食品（鶏卵を含む）等にも応用できるものである。
【符号の説明】
【００３９】
１    果物用包装装置
３    イチゴ
５    トレー
７    収納凹部
１１    包装容器(透明パック)
１２    容器側開口部
１３    容器本体部
１３ａ  フランジ片
１４    カバー部側開口部
１４ａ  フランジ片
１５    カバー部
１６    ヒンジ部
１７    伸縮性フィルムシート
１８    突起部
１９    通気用凹溝
２０    係合スリット
２１    被ロック片
２６    隙間
Ｓ１,Ｓ２    閉塞空間部
【図１】
2011143929.tif 000003
【図２】
2011143929.tif 000004
【図３】
2011143929.tif 000005
【図４】
2011143929.tif 000006
【図５】
2011143929.tif 000007
【図６】
2011143929.tif 000008
【図７】
2011143929.tif 000009
【図８】
2011143929.tif 000010
【図９】
2011143929.tif 000011